(57)【要約】【目的】筆跡入力ペンのデータ受信装置に普通記入用紙を容易に、確実に挟み込むことで筆記データの誤入力を防止し、操作性を向上させる。【構成】筆跡入力ペンのデータ受信装置背面に紙を挟むための可動部を設け、可動部にはコイルバネの受けと上下にスライドする軸を設ける。受信装置底面には可動部軸を保持、上下スライドをガイドする軸受けとコイルバネの受けを設ける。可動部と紙保持部は別部品で構成され保持部と連結する可動部軸の端面を保持部が受信装置底面に圧接するように傾斜に加工することでコイルバネの反発力で紙を挟むことができ、挟んだ紙がズレたり、抜け落ちないようにゴムを保持部に設ける。保持部には受信装置底面との間に紙が奥まで挿入されることを抑制するリブを一体成形する。【選択図】  図１
2006106848.tif 000002
【特許請求の範囲】
【請求項１】
筆跡入力ペンより用紙に筆記した文字や図形の位置座標データとして、前記筆跡入力ペンより発信された超音波信号を連続的に受け取り、手書き筆跡データとして認識する受信装置の底面と板状部材からなる用紙押さえ構造であって、前記受信装置の背面に可動部と弾撥部材を設け、可動部と一体に設けられている軸の前記板状部材との接続部分に、軸端面の背面方向を長く、前面方向短くした傾斜を設け、前記受信装置の底面と板状部材の端部が密着することを特徴とする用紙保持構造。
【請求項２】
筆跡入力ペンより用紙に筆記した文字や図形の位置座標データとして、前記筆跡入力ペンより発信された超音波信号を連続的に受け取り、手書き筆跡データとして認識する受信装置の底面と板状部材からなる用紙押さえ構造であって、前記受信装置の背面に可動部と弾撥部材を設け、前記可動部に板状部材を取り付け、前記受信装置の底面と板状部材の間に用紙を係止可能な様に、前記板状部材を受信装置の底面方向に折り曲げ、受信装置底面と板状部材の端部が密着することを特徴とする用紙保持構造。
【発明の詳細な説明】
【技術分野】
【０００１】
本発明は、超音波発信器と赤外線発信器とを備えた筆記可能なペンと、該筆記可能なペンにより発せられる超音波と赤外線とを、該筆記可能なペンの筆記位置を計測し、座標データとして生成し、かつ、該座標データを蓄積保存する受信装置からなる手書き筆跡入力装置に関する。
【背景技術】
【０００２】
従来、超音波と赤外線を発信する発信器を備えた専用筆跡入力ペンと、該専用筆跡入力ペンから発信される超音波信号と、赤外線とを受信する複数の受信器を組み込んだ受信装置を有する手書き筆跡入力装置が開発されている。この手書き筆跡入力装置は、用紙に、前記専用筆跡入力ペンで筆記すると受信装置が、専用筆跡入力ペンから発信された超音波信号と赤外線とを複数の受信器により受信し、専用筆跡入力ペンの位置座標を計測し、座標位置を座標データとして検出する。前記座標データを連続的に検出することにより、書いた文字や図形等を手書き筆跡データとして認識する手書き筆跡入力装置が知られている。
この手書き筆跡入力装置は、受信装置の底面に用紙を挟むことが可能なクリップの構造を備えて、片手でクリップを開き、もう一方の手で普通記入用紙を挟み込む構造としている。
【特許文献１】特開平０７−０３６５６５号公報。
【特許文献２】特願２００４−１９４９６７号。
【発明の開示】
【発明が解決しようとする課題】
【０００３】
しかしながら上記従来の手書き筆跡入力装置においては、用紙を挟み込む為にクリップを持ち上げ、スペースを開いたところに用紙を入れクリップを戻し挟み込む構造では、受信器側面にクリップの開閉支点構造を設ける必要があり、専用筆記ペンから発信された超音波信号と赤外線の受信を妨げることになる。また、受信装置の背面に開閉支点構造を設けた場合には、受信装置を筆記台や机などに置く際に、筆記台や机がクリップに当たり、クリップ開閉部を押してしまいセットした用紙が外れてしまうという問題があった。
受信装置背面に上下にスライドさせる構造では、用紙を挟み込んで保持する場合、用紙保持は受信器側にあり、用紙挟みは受信装置背面になるため、筆記途中に、受信装置を持ち上げると保持部は自重と紙の重さで開き用紙がズレたり、落ちたりする為、用紙を再度セットしたした場合、最初にセットした用紙の位置が合わない為、記入した筆跡と受信入力データに誤差が生じ、連続的に筆記することができなかった。
【課題を解決するための手段】
【０００４】
用紙に筆記した文字や図形を筆跡入力ペンの位置座標データとして、前記筆跡入力ペンより発信された超音波信号を連続的に受け取り、手書き筆跡データとして認識する受信装置の底面と板状部材からなる用紙押さえ構造であって、前記受信装置の背面に可動部と弾撥部材を設け、可動部と一体に設けられている軸の前記板状部材との接続部分に、軸端面の背面方向を長く、前面方向短くした傾斜を設け、前記受信装置の底面と板状部材の端部が密着する用紙保持構造を提案するものである。
【発明の効果】
【０００５】
本発明では、筆跡入力ペンのデータ受信装置背面の可動部を押し下げ、受信器側底面と保持部との間に普通記入用紙が簡単にセットでき、弾撥部材の反発力とゴム、またはエラストマーの弾性材で普通記入用紙が不慮にずれる事を防ぐことができる。また、筆記中に位置ずれが発生した場合にも保持部に位置決めが一体成形でき、簡単に用紙をセットし直せることができるため、筆跡がズレによる誤入力にならない筆跡入力ペンのデータ受信装置を提供できる。
【発明を実施するための最良の形態】
【０００６】
筆跡入力ペンのデータ受信装置背面に紙を挟むための可動部を設け、可動部には弾撥部材の位置を決めと、弾撥部材の弾性力に連動して上下にスライドする軸を設ける。受信装置底面には可動部軸を保持、上下スライドをガイドする軸受けと弾撥部材の受けを設ける。可動部と紙保持部は別部品で構成され保持部と連結する可動部軸の端面を保持部が受信装置底面に圧接するように傾斜に加工することで弾撥部材の反発力で紙を挟むことができ、挟んだ紙がズレたり、抜け落ちないようにゴムを保持部に設ける。保持部には受信装置底面との間に紙が奥まで挿入されることを抑制するリブを一体成形した筆跡入力ペンのデータ受信装置。
【実施例１】
【０００７】
以下、図１を参照しながら本発明を適用した一例である筆跡入力ペン用受信器の用紙保持構造について説明する。
参照符号１は本発明の用紙保持構造を備えた受信装置である。スイッチ２を押すことで受信装置は起動し、受信装置１のクリップ上３を押し下げ、板状部材４と受信装置底面（ベース５の下側）間に用紙６を挟むものである。
筆跡入力ペン７の先端には、ボールペンのリフィル３２が設けられており、用紙６に筆記でき、操作者（図示せず）はボールペンのリフィル３２を下向きにし、用紙６の面上に筆記をする。リフィル３２上部のセンサーカバー８には発信器（図示せず）が内蔵され、筆記入力ペン７の位置データを発信し、受信装置１内側の受信器（図示せず）に送られ筆跡データとして認識し、記憶される。
【０００８】
図２と図３を参照しながら樹脂（アクリルニトリルブタジスチレン、ポリカーボネート、ポリアセタール等）で成形した本発明の紙保持構造を説明する。
受信装置１内部には受信器（図示せず）、記憶装置（図示せず）等を設置した回路基板９がネジ１０でベース１１に固定され、回路基板９を覆い被せる形状のカバー１２で保護されている。ベース１１にはクリップ上３の軸１３を上下に可動可能とした軸受け１４と板状部材４に一体成形した紙受け１５が、底面１６に貫通する穴１７に挿入されるように成形されている。
クリップ上３とベース１１の間には、弾撥部材であるコイルバネ１８が圧縮された状態で設置され、軸１３には板状部材４をネジ１９で固定する。コイルバネ１８はバネ係数により１カ所以上設ける必要がある。
クリップ上３は、常にコイルバネ１８の反発力を受け、上方向に力がかかった状態にすることでベース１１底面と板状部材４は、密着した接触状態を保つことができる。
図４を参照して、軸１３の端面部分についての説明を行う。クリップ上３の軸１３の端面２２は背面方向２３を長く、前面方向２４を短く成形しているため、板状部材４の紙保持部２０が紙保持部２１の方向に傾いた状態で密着することになる。弾性材のゴムで成形された紙保持部２０，２１はそれぞれ板状部材４とベース１１に用紙６が滑り落ちない位置に貼り付けられてる。
【０００９】
操作者（図示せず）は受信装置１のクリップ上３と、ベース把持部３３  を持ち、クリップ上３を下方向に押し上げることで、コイルバネ１８が縮みベース１１底面１６と板状部材４に用紙６を挟むための空間を作り出せる。
受信装置前面よりベース１１底面と板状部材４の間にできた空間に用紙６が紙受け１５に突き当たるまで挿入し、クリップ上３の押し下げを解除するとコイルバネ１８の反発によりクリップ上３は上方向に押し戻され、ベース１１底面の保持部２１と板状部材４の保持部２０に用紙６を挟み込むことができる。
筆記終了後、操作者（図示せず）は受信装置１のクリップ上３とベース把持部３３を指で持ち、クリップ上３を押し下げることで用紙６を取り外すことができる。
筆記中に用紙６がズレたり、外れた場合にも、紙受け１５があるため容易に用紙６を元の位置に戻すことができる。
【実施例２】
【００１０】
次に、図５、図６を参照しながら板金で成形した第２の実施例について説明する。
クリップ上２５の中央にバネホルダ２６をカシメ成形し、コイルバネ２７を挿入し、ベース２８との間に入れ、コイルバネ２７が圧縮された状態で設置され、板状部材２９とクリップ上２５にネジ３０で固定される。
クリップ上２５は常にコイルバネ２７の反発力を受けた状態にすることでベース２８の底面３１と板状部材２９は接触状態を保つことができる。
【図面の簡単な説明】
【００１１】
【図１】手書筆跡装置の全体図
【図２】受信装置
【図３】用紙保持構造の説明図
【図４】用紙保持構造の説明図
【図５】第２の実施例の説明図
【図６】第２の実施例の説明図
【符号の説明】
【００１２】
１    受信装置
２    スイッチ
３    クリップ上
４    板状部材
５    ベース
６    用紙
７    筆跡入力ペン
８    センサーカバー
９    回路基板
１０  ネジ
１１  ベース
１２  カバー
１３  クリップ上と一体の軸
１４  軸受け
１５  紙受け
１６  底面
１７  穴
１８  コイルバネ
１９  ネジ
２０  紙保持部
２１  紙保持部
２２  軸
２３  背面方向
２４  前方方向
２５  クリップ上
２６  バネホルダ
２７  コイルバネ
２８  ベース
２９  板状部材
３０  ネジ
３１  ベース２８の底面
３２  リフィル
３３  ベース把持部
【図１】
2006106848.tif 000003
【図２】
2006106848.tif 000004
【図３】
2006106848.tif 000005
【図４】
2006106848.tif 000006
【図５】
2006106848.tif 000007
【図６】
2006106848.tif 000008